(57)【特許請求の範囲】
【請求項１】
円筒状風洞部と軸受箱を形成する小径円筒部を有するベンチュリケースと、前記風洞部内周面に小空隙を介して対向する、複数のブレードと該ブレードを植設保持した回転子ハブとを有し回転子軸に固定保持され回転自在に軸支された羽根車と、該羽根車を軸支するため前記軸受箱に嵌着保持された軸受部材と、前記羽根車を駆動するため前記回転子ハブの内周面に小空隙を介して配置される固定子と前記回転子ハブ内周面に装着された永久磁石を主体とする回転子とより成る電動機を備える軸流ファンにおいて、前記軸受箱外周面に、軸方向に平行な面を有する小突起と共に、開口端近傍に形成された周方向の面を有する小突起とを備え、前記軸方向に平行な面を有する小突起の、固定子内周面の凹溝との嵌合により固定子の周方向固定手段が形成されると共に、その内周面に前記周方向の面を有する小突起に対応する凹溝を備え、固定子と共に前記軸受箱外周面に装着される環状部材の、軸方向嵌入後の周方向ずらし状態により固定子の軸方向固定手段が形成されていること、を特徴とする軸流ファン。
【請求項２】
前記軸受箱外周面に形成される、周方向の面を有する小突起は、複数個の小突起として形成され、軸方向に平行な面を有する小突起は、前記複数個の小突起に対し、周方向の略中間部位に形成されていること、を特徴とする請求項１に記載の軸流ファン。
【請求項３】
前記環状部材は、固定子端部との当接面に、可撓性を備える弾圧部を有すること、を特徴とする請求項１もしくは２に記載の軸流ファン。
【請求項４】
前記固定子は、巻線が捲装されるスロット内壁と共に、内周面と端面が樹脂層で覆われ、該樹脂層で内周面の凹溝が形成されると共に、前記環状部材と当接する端面が、周方向に凹凸を有する租面を備えること、を特徴とする請求項１から３のいずれかに記載の軸流ファン。
【請求項５】
前記環状部材は、対向する固定子端面と可撓性を有する別部材を介して当接するように構成されていること、を特徴とする請求項１から４のいずれかに記載の軸流ファン。
【発明の詳細な説明】
【０００１】
【産業上の利用分野】
本発明は軸流ファン、特に小型軸流ファンの改良に関する。
【０００２】
【従来の技術】
図５は従来技術に成るブラシレスＤＣファンの例の断面図で、羽根車２と一体を成すカップ状回転子ハブ３に保持された永久磁石５を有する回転子と、該回転子永久磁石５の内周面と小空隙を介して対向し巻線が巻装されて固定子を形成する固定子鉄心６−１を備え、該固定子鉄心６−１は、ベンチュリケース１と一体を成し軸受箱を形成する小径円筒部１−２の外周面に固定保持されている。
【０００３】
該例では、軸受箱１−２は電動機６の固定子鉄心６−１を保持する小径円筒部の内周面として形成され、回転駆動時の安定性確保のため、前記軸受部材９は両端近傍に設けられた段差部に嵌着され、両軸受部材９を貫通するようにして回転子軸８が配置される。そして回転子ハブ３を介して一体保持された回転子永久磁石５が固定子鉄心６―１の外周面と小空隙を介して対向し、該回転子軸８によって回転自在に軸支されている。
【０００４】
ベンチュリケース１と一体を成す小径円筒部１−２は、上述の通りその内周面が軸受箱として形成されると共に、その外周面は固定子鉄心６−１を固定保持するが、両者の固着手段は接着や圧入が多用され、該固着手段に固定保持を依存している。
【０００５】
【発明が解決しようとする課題】
上述の如き従来の構成は、化学物質である接着剤の取扱いでの作業環境上の問題や、資源再利用に関る分解の困難さ等の面での改善が期待されていた。
【０００６】
【課題を解決するための手段】
本発明に成る軸流ファンは、軸受箱外周面に、軸方向に平行な面を有する小突起と共に、開口端近傍に形成された周方向の面を有する小突起とを備え、前記軸方向に平行な面を有する小突起の、固定子内周面の凹溝との嵌合により固定子の周方向固定手段が形成されると共に、その内周面に前記周方向の面を有する小突起に対応する凹溝を備え、固定子と共に前記軸受箱外周面に装着される環状部材の、軸方向嵌入後の周方向ずらし状態により固定子の軸方向固定手段が形成され、前記軸受箱外周面に形成される、周方向の面を有する小突起は、複数の小突起として形成されると共に、軸方向に平行な面を有する小突起が、前記複数の小突起に対し周方向の略中間部位に形成され、もしくは前記環状部材は、固定子端部との当接面に、可撓性を備える弾圧部を有し、もしくは可撓性を有する別部材を介挿して、前記固定子が、巻線が捲装されるスロット内壁と共に、内周面と端面が樹脂層で覆われ、該樹脂層に内周面の凹溝が形成されると共に、前記環状部材と当接する端面が、周方向に凹凸を有する租面を備える如く構成される。
【０００７】
【実施例】
図１は本発明に成る軸流ファンの例の固定子の要部断面図で、上述図５に示す従来技術に成る例との違いは、固定子鉄心６−１と軸受箱外周面１−３との結合固着手段である。
【０００８】
図１に示す固定子鉄心６−１と軸受箱外周面１−３との締結部は、図２に示す固定子鉄心６−１と、図３に示す軸受箱外周面１−３との嵌合の後、図４に示す環状部材１０を嵌着した固定・保持状態を示すものである。
図５にも示すように、該固定子が嵌着される小径円筒部内周面の軸受箱は、その両端近傍に軸受部材９が嵌着保持されることは上述従来技術と変りは無い。
【０００９】
通常積層された固定子鉄心６−１の内周面には、該固定子が嵌着される図３に示す軸受箱外周面１−３の開口端近傍に形成された、ほぼ対称の、周方向の当接面を有する小突起１−３１を逃げる凹溝６−１１と共に、その周方向中間部位に、同軸受箱外周面１−３の、軸方向に平行な嵌着面を有する小突起１−３２と嵌合する凹溝６−１２が形成されている。
【００１０】
軸受箱外周面１−３の軸方向に平行な嵌着面を有する小突起１−３２と、これに対応する上述固定子内周面の凹溝６−１２との嵌合が、固定子の周方向保持手段を構成する。
【００１１】
又、上述軸受箱外周面の軸方向に平行な嵌着面を有する小突起１−３２と、これに対応する固定子内周面の凹溝６−１２との嵌合で、周方向の移動を拘束されつつ挿入される当該固定子は、その端面に当接するようにして嵌着される、例えば図４に示すような、軸方向に立ち上がる切り起しによる可撓性を有する弾圧部を備える環状部材１０によって、軸方向の移動を拘束される。
【００１２】
上述固定子の軸方向の拘束は、固定子が軸受箱外周面の周方向の当接面を有する小突起１−３１を避けて嵌入した後、これに当接するように追って嵌着される環状部材１０が、前記軸受箱外周面１−３の、周方向の当接面を有する小突起１−３１に対応して自身の内周面に形成された凹溝６−１１で、該小突起１−３１を潜り抜けた後、該小突起１−３１と凹溝６−１１とが位置ずれするように周回移動することで確保される。
【００１３】
図１に見るように、固定子鉄心６−１の端面と、軸受箱外周面１−３に形成された、周方向の当接面を有する小突起１−３１の、一方の面との隙間に環状部材１０が介在することで、固定子の軸方向拘束を実現するもので、環状部材１０の厚み寸法は、固定子の積層寸法や軸受箱外周面の周方向の当接面を有する小突起１−３１の位置等により適宜決められるものである。
【００１４】
更に、図示はしないが、環状部材１０の周回移動での小突起１−３１と凹溝６−１１の位置ずれ状態を確保する手段として、当該固定子鉄心６−１の溝絶縁形成と連携した端面への樹脂層形成で、その表面に周方向に凹凸を有する租面を形成することも有効である。
【００１５】
これも図示は省略するが、同時にまた、当該固定子鉄心６−１の溝絶縁形成と連携した内周面への樹脂層形成で、該樹脂層への上述凹溝６−１１、６−１２の形成も、固定子鉄心内周面への凹溝形成に代わる一つの手段である。
【００１６】
また、図示も詳細な説明も省略するが、上記環状部材１０と固定子６−１の端面との間に、可撓性を有する別部材を介在させることで、軸方向の固定を補完することが可能なことは言うまでも無い。
【００１７】
【発明の効果】
本発明に成る軸流ファンは、その製作に際して化学物質である接着剤を不要とすることで作業環境上の改善を、又、分解容易化により資源再利用に関する改善をも実現している。
【図面の簡単な説明】
【図１】本発明に成る軸流ファンの例の要部断面図である。
【図２】図１の例の固定子鉄心の説明図である。
【図３】図１の例の軸受箱外周面の様子を示す説明図である。
【図４】図１の例の環状部材の説明図である。
【図５】従来技術に成る軸流ファンの例の断面図である。
【符号の説明】
１        ベンチュリケース
１−１    風洞部
１−２    軸受箱（小径円筒部）
１−２１  軸受箱外周面に形成された周方向の当接面を有する小突起
１−２２  軸受箱外周面に形成された軸方向に平行な嵌着面を有する小突起
２        羽根車
３        回転子ハブ
３−１    円筒部
４        バックヨーク
５        永久磁石
６        電動機
６−１    固定子鉄心
６−１１  内周面に形成された周方向の当接面を有する小突起を逃げる凹溝
６−１２  内周面に形成された軸方向に平行な嵌着面を有する小突起に対応する凹溝
７        制御回路
８        回転子軸
９        軸受部材
１０      環状部材
１０−１  軸受箱外周面の周方向の面を有する小突起に対応して環状部材内周面に形成された凹溝
１０−２  環状部材の可撓性付与部
【図１】
0003693172.tif 000002
【図２】
0003693172.tif 000003
【図３】
0003693172.tif 000004
【図４】
0003693172.tif 000005
【図５】
0003693172.tif 000006